(57)【要約】【課題】本発明は、足の親指と第２指の間に挿入して角度を持たせて拡開する拡開部材を、使用者が必要な時に既存のスリッパ、靴、草履等の履物内部の前方つま先部に取り付けて使用できる外反母趾対策具を得るにある。【解決手段】足の親指と第２指の間に挿入して角度を持たせて拡開する拡開部材と、該拡開部材に係着して既存の履物内部の前方つま先部に前記拡開部材を保持するための着脱自在な取り付け手段とで外反母趾対策具を構成している。【選択図】    図１
2009000142.tif 000002
【特許請求の範囲】
【請求項１】
足の親指と第２指の間に挿入して角度を持たせて拡開する拡開部材と、該拡開部材と係着すると共に既存の履物内部の前方つま先部に取り付けて前記拡開部材を保持するための着脱自在な取り付け手段とからなり、使用者が前記拡開部材を必要な時に既存の履物の内部の前方つま先部に取り付けて使用できることを特徴とする外反母趾対策具。
【請求項２】
前記取り付け手段は、拡開部材の前部或いは前端部に係着されて左右方向に腕を伸ばし前後方向に撓曲できる弾性帯板或いは弾性線材からなる突張り腕と、該突張り腕の両端に形成された突起部とからなり、前記拡開部材を前側から既存のスリッパ或いは靴のカバー内側のつま先端部まで前進させると、前記突張り腕はカバー内側の左右側面に倣って撓み、その付勢力により両端に形成された突起部がスリッパ或いは靴の内側の左右側面に食い込んで突張り腕が着脱自在に係止することにより、前記突張り腕を係着した拡開部材もスリッパ内部或いは靴内部のつま先部に着脱自在に保持できることを特徴とする請求項１の外反母趾対策具。
【請求項３】
前記取り付け手段は、拡開部材の前面或いは上面或いは両方に埋設突起したピンと、該ピンに挿入締結するピンキャッチ具とからなり、前記拡開部材は既存のスリッパのカバー内前方に挿入し前記ピンをカバーに穿通させカバー外側に出たピンにピンキャッチ具を挿入締結して前記拡開部材をスリッパのカバーに着脱自在に係着させることによりスリッパのカバー内のつま先部に着脱自在に保持できることを特徴とする請求項１の外反母趾対策具。
【請求項４】
前記取り付け手段は、拡開部材と、スリッパ或いは靴のカバーの後端縁を挟むクリップと、該クリップの下側アームの延長端を前記拡開部材に繋止する繋止手段とからなり、前記拡開部材は既存のスリッパ或いは靴のカバー内前方に挿入し前記クリップの下側アームの延長端を前記拡開部材に繋止すると同時にカバー後端縁に前記クリップを挟むことにより前記拡開部材をスリッパ内部或いは靴内部のつま先部に着脱自在に保持できることを特徴とする請求項１の外反母趾対策具。
【請求項５】
前記取り付け手段は、拡開部材の後部に前後方向に短冊状をなし上下方向に貫通した保持穴と、該保持穴の前側から拡開部材の前端まで形成し保持穴まで拡開できる縦割り溝とからなり、下駄或いは草履等の鼻緒付き履物の前緒を保持穴に割り込ませることにより、前記拡開部材を履物の前方足先部位に着脱自在に保持できることを特徴とする請求項１の外反母趾対策具。
【請求項６】
前記取り付け手段は、拡開部材の前側壁に密着固定された面ファスナー（フック側）と、スリッパ或いは靴のカバーの内部のつま先端面に密着固定できる面ファスナー（ループ側）とからなり、前記面ファスナー（ループ側）をスリッパ或いは靴のカバーの内部のつま先端面に密着固定して、拡開部材を前側からスリッパ或いは靴のカバー内側に挿入しつま先端部に当接させて、前記拡開部材の前壁に密着固定された面ファスナー（フック側）を面ファスナー（ループ側）に繋止することにより、前記拡開部材をスリッパ内部或いは靴内部のつま先部に着脱自在に保持できることを特徴とする請求項１の外反母趾対策具。
【発明の詳細な説明】
【技術分野】
【０００１】
本発明は、外反母趾の予防具或いは外反母趾を改善するための矯正具に関する。
【背景技術】
【０００２】
従来、外反母趾を予防或いは改善するため、親指と第２指の間を拡開する手段として、スリッパ台のつま先部に拡開する仕切り板を設けた外反母趾対策用のスリッパがある。（例えば、特許文献１参照。）
また、親指と第２指の間を拡開する手段として、靴のつま先内部の壁部を突起させてセパレータを形成し、靴を履いた時に該セパレータが親指と第２指の間を拡開する外反母趾対策用の靴がある。（例えば、特許文献２参照。）
【特許文献１】特開平１１−０９９００３号公報（第２頁、図１）
【特許文献２】特開平０９−３１３２０６号公報（第４頁、図１）
【発明の開示】
【発明が解決しようとする課題】
【０００３】
特許文献１、及び特許文献２の両方に問題点は共通しているが、仕切り板或いはセパレータの位置が固定されているので、足の形や大きさ或いは指の太さや配置によっては、靴の中に足を挿入し親指と第２指の間に仕切り板を挿入完了した時、靴の中の足の位置が右に寄り過ぎたり、或いは左により過ぎることがあり、履いたときに外反母趾対策を施していない通常の履物の感覚とは異なる違和感を感じるという欠点があった。
また、仕切り板或いはセパレータの拡開部材は前記履物（スリッパ或いは靴）の台部に固定されているので、歩行時に指の動きに追随できないから、指の接触している部分の皮膚は摩擦ズレで傷められるという欠点があった。
また、前記履物の製造者は、使用者の足のサイズに合わせて種々のサイズのスリッパ或いは靴を製造しなければならず、また、ひとつのサイズのスリッパ或いは靴であっても使用者の指の大きさ或いは外反母趾の症状に合わせて拡開部材の大きさの種類を増やしたいが、大量の需要は見込めないので多種少量生産となり製造コストが高くなる。また、販売店は種々のサイズの靴を在庫しなければならないので在庫コストが高くなるという欠点があった。
また、前記コスト高の理由で製造者或いは販売店は豊富なデザインを用意することも出来ないから、購入したい人はデザインが気に入らなければ使いたくない人もいるし、外反母趾の改善のため我慢して使わざるを得ない人もいるという欠点があった。
また、外反母趾が改善された後も仕切り板或いはセパレータが付いたまま前記履物を履くのは煩わしいので、普通のスリッパに履き替えると外反母趾対策の履物が不要になり、収納の煩わしさ或いは廃却すれば資源の無駄になるという欠点があった。
【０００４】
本発明は以上のような従来の欠点に鑑み、足の親指と第２指の間に挿入して角度を持たせて拡開する拡開部材を、使用者が必要な時に既存のスリッパ、靴、草履等の履物の前方足先部位に取り付けて使用できる外反母趾対策具を提供することを目的としている。  
【課題を解決するための手段】
【０００５】
上記目的を達成する為に、本発明は足の親指と第２指の間に挿入して角度を持たせて拡開する拡開部材と、該拡開部材に係着して履物内部の前方足先部位に前記拡開部材を取り付けするための着脱自在な取り付け手段とで外反母趾対策具を構成している。
【発明の効果】
【０００６】
本発明によれば次のような効果が得られる。
【０００７】
請求項１において、足の親指と第２指の間に挿入して角度を持たせて拡開する拡開部材と、該拡開部材に係着して既存の履物内部の前方つま先部に前記拡開部材を保持するための着脱自在な取り付け手段とで外反母趾対策具が構成されているので、スリッパ或いは靴等の前側にカバーを設けた履物の場合は、拡開部材を親指と第２指の間に挿入して既存の履物の中のつま先端まで前進させると、拡開部材は指の形及び位置に合った自然な位置に移動ができ、その位置で拡開部材に設けられた着脱自在な取り付け手段により拡開部材を前記履物の内部に保持できる。
また、下駄或いは草履等の鼻緒を設けた履物の場合は、拡開部材は該拡開部材の後部に形成された保持穴の中に前緒を嵌入することで該前緒に繋止されるので、拡開部材は外れることなく安定して保持される。
従って既存の履物に本発明の外反母趾対策具を取り付けて再び履く時は、拡開部材は履く人の足に合わせた最適な位置に保持されているので、履物に足を入れながら足指で拡開部材を探り出す操作は必要なく、足を入れていくと自然に親指と第２指の間に拡開部材が案内されていくという利点がある。  
【０００８】
本発明の外反母趾対策具は、販売されているもの或いは既に購入して手持ちで使用中の
もの等の既存の履物に取り付けることが出来るので、新たに外反母趾対策を施した履物を購入する必要がないという利点がある。
また、本発明の外反母趾対策具は既存の履物への取り付け、取り外しが容易にできるの
で、外反母趾が改善された後は、外反母趾対策具を取り外して普通の履物として使うことが出来るという利点がある。
また、外反母趾対策を施した履物は大量に生産するほどの需要はないので、デザインの種類は限られてしまうから、気に入らないものを我慢して購入する人が多いが、本発明の外反母趾対策具を購入するだけで、自分の気に入った手持ちの履物を使うことが出来るという利点がある。
【０００９】
また、外反母趾対策を施した履物は製造コストが高くなり、従って販売コストも高くなるので、外反母趾の重度の症状の人はやむを得ず購入するが、軽度の症状の人は購入をあきらめる人もいる。
しかし、本発明の外反母趾対策具は手持ちの履物に取り付けて使えるから、履物分の新たな購入費用は不要なので、外反母趾の軽度の症状の人でも気軽に本発明の外反母趾対策具のみを購入して外反母趾を改善することが出来るという利点がある。
また、製造者は履物本体分の費用は不要なので、本発明の拡開部材のサイズの種類を増やすことができるから、使用者は自分の指に合った適切な外反母趾対策具を選べるという利点がある。
【００１０】
請求項2における拡開部材の取り付け手段は、拡開部材の前部或いは前端部に係着されて左右方向に腕を伸ばし前後方向に撓曲できる弾性帯板或いは弾性線材からなる突張り腕と、該突張り腕の両端に形成された突起部とで構成されているので、拡開部材を前側から既存のスリッパ或いは靴のカバー内側のつま先端部まで前進させると、前記突張り腕はカバー内側の左右側面に倣って撓み、押し込み力を無くしても突張り腕の付勢力により両端に形成された突起部がスリッパ或いは靴の内側の左右側面に食い込んで突張り腕が係止することにより、前記突張り腕を係止した拡開部材もスリッパ内部或いは靴内部のつま先部に保持できるから、履く時には通常の履物を履く時と同じ動作で親指と第2指の間へ拡開部材を楽に案内することが出来るという利点がある。
また、取り付けされた状態で拡開部材の前部は突張り腕に支承されるが、後部は突張り腕の弾性により左右に揺動可能であるので、歩行した時カバーの中の範囲で足が左右に自由に動けるから、拡開部材のない既存のスリッパと同様の履き心地が得られるという利点がある。
また、歩行した時に指が上に反るとスリッパのつま先部も上に反るが、拡開部材も指の反りに従って上下に追随するので接触している指の皮膚は摩擦ズレが少ないから傷められることはないという利点がある。
【００１１】
請求項３における拡開部材の取り付け手段は、拡開部材の前面或いは上面に埋設突起（拡開部材の中に一部を埋め込み先端の針部を外部に出している）したピンと、該ピンに挿入締結するピンキャッチ具とで構成されているので、拡開部材をスリッパ内部のつま先部の適宜の位置（拡開部材を足の親指と第２指に挟んでスリッパを履いた位置）へ前進させ、ピンの突起部をカバーの外面に穿出させて先端へピンキャッチ具を挿入締結するので、拡開部材を既存のスリッパ内部或いは靴内部に容易に保持することが出来るから、履く時には通常の履物を履く時と同じ動作で親指と第2指の間へ拡開部材を楽に案内できるという利点がある。
また、拡開部材は取り付けされた状態でカバーの弾性により左右に揺動可能であるので、歩行した時カバーの中の範囲で足が左右に自由に動けるので、拡開部材のない既存のスリッパと同様の履き心地が得られるという利点がある。
さらに、歩行した時に指が上に反るとスリッパのつま先部も上に反るが、拡開部材も指の反りに従って上下に追随するので接触している指の皮膚は摩擦ズレが少ないから傷められることはないという利点がある。
【００１２】
請求項４における拡開部材の取り付け手段は、拡開部材と、スリッパ或いは靴のカバーの後端縁を挟むクリップと、該クリップの下側アームの延長端を拡開部材に繋止する繋止手段とで構成されているので、拡開部材をスリッパ或いは靴のつま先部の適宜の位置へ前進させ、クリップの下側延長端を拡開部材に繋止させながらカバー後端縁にクリップを引っ掛けて挟み込むと、カバー内部の適切な位置に拡開部材を保持することが出来る。
従って、履く時には親指と第2指の間へ拡開部材を楽に案内できるという利点がある。
また、クリップを緩めて後方へ引けばクリップに繋止された拡開部材と共に容易に取り外しができるという利点がある。
【００１３】
請求項５における拡開部材の取り付け手段は、拡開部材の後部に前後方向に短冊状の穴を上下方向に貫通した保持穴と、該保持穴の前側から拡開部材の前端まで形成した縦割り溝とで構成されているので、縦割り溝を広げて下駄或いは草履等の既存の履物の前緒に保持穴を嵌入させ、縦割り溝を合わせてもとの状態に戻せば、拡開部材を前緒に容易に保持することができるので、履く時には通常の履物を履くのと同じ動作で親指と第2指の間へ拡開部材を楽に案内できるという利点がある。
また、拡開部材は前緒を軸にして水平方向に揺動できるので、履く人の足の形や大きさ或いは指の太さや配置に合わせて動くから、履いたときに指への片当りが発生せず自然な履き心地が得られるという利点がある。
また、拡開部材は、保持穴と前緒が遊嵌しているので、歩行した時に指が上に反るとスリッパのつま先部も上に反るが、拡開部材も指の反りに従って上下に追随するので接触している指の皮膚は摩擦ズレが少ないから傷められることはないという利点がある。
【００１４】
請求項６における拡開部材の取り付け手段は、拡開部材の前側壁に密着固定された面フ
ァスナー（フック側）と、スリッパ或いは靴のカバーの内部のつま先端面に密着固定できる面ファスナー（ループ側）とで構成されているので、面ファスナー（ループ側）をスリッパ或いは靴のカバーの内部のつま先端面に密着固定した後、拡開部材を親指と第２指の間に挿入して既存のスリッパ或いは靴の中のつま先端まで前進させると、拡開部材は指の形及び位置に合った自然な位置に移動ができ、その位置で面ファスナー（フック側）と面ファスナー（ループ側）が繋止するので拡開部材はカバーの内部のつま先部に保持できるから、履く時には通常の履物を履く時と同じ動作で親指と第2指の間へ拡開部材を楽に案内することが出来るという利点がある。
また、取り付けされた状態で拡開部材の前部は面ファスナーに支承されるが、後部はカバーの弾性と面ファスナーの緩みにより左右に揺動可能であるので、歩行した時カバーの中の範囲で足が左右に自由に動けるから、拡開部材のない既存のスリッパと同様の履き心地が得られるという利点がある。
また、歩行した時に指が上に反るとスリッパのつま先部も上に反るが、拡開部材も指の反りに従って上下に追随するので接触している指の皮膚は摩擦ズレが少ないから傷められることはないという利点がある。
【００１５】
また、本発明の外反母趾対策具は取り付け、取り外しが容易にできるので、外反母趾が
改善された後は、取り外して普通の履物として使うことが出来るという利点がある。
【発明を実施するための最良の形態】
【００１６】
本発明は、図１に示す拡開部材２と拡開部材２に係着された弾性帯板より形成された突張り腕３とで実施の主たる形態を構成している。
図１はスリッパ５を履いた状態図であり、カバー７内側のつま先部位に取り付けされた外反母趾対策具１の拡開部材２が足の親指８と第２指９との間に挿入され、親指８と第２指９が拡開されている状態を示している。
以下、本発明の実施の形態について説明する。
【実施例１】
【００１７】
図２における本発明の第1の実施の形態において、楔状に形成して前方部の幅が広い拡開部材２の前方部に弾性帯板より形成された前後方向に撓むことができる突張り腕３が図のように水平に貫通して係着され拡開部材２の両側に腕を出した形態となっており、突張り腕３の両腕端には突起部４、４が形成されて外反母趾対策具１が構成されている。
突起部４、４はそれぞれ１ケ以上のＶ型の山状に形成されている。
【００１８】
図１において、拡開部材２を足の親指８と第２指９との間に挿入してスリッパ５のカバー７のつま先内部へ足を前進させると、突張り腕３の両腕はカバー７の内側の左右側面に倣って撓みながら拡開部材２がカバー７のつま先端部まで前進する。
この時、拡開部材２は上面及び下面がそれぞれカバー７及びスリッパ台６に案内されて上下方向が規制される。
前進させる力を除くと突張り腕３の付勢力により突起部４，４がカバー７の内側の左右側面に食込むので、突張り腕３が保持されるので、突張り腕３を係着する拡開部材２も保持されることになる。
突起部４、４が食込むと、突張り腕３を後退させようとしても突張り腕３の付勢力で突起部４，４がスリッパ５の内側の左右側面に食込んだ状態を維持するから、拡開部材２も保持される。
従って、スリッパ５の中で足が動いても拡開部材２は足の親指８と第２指９との摩擦力により指の間から脱げることは無く挟まれた状態を維持できるので、拡開部材２のないスリッパ５と同様の履き心地が得られる。
また、前記摩擦力に逆らってスリッパ５を脱いでも拡開部材２は突張り腕３を介してスリッパ５の中に保持されるから、位置ずれすることはなく保持される。
【００１９】
また、拡開部材２の前部はスリッパの中では突張り腕３と係着して支承されているが、後部は突張り腕３の弾性により左右に揺動可能であるので、歩行した時カバー７の中の範囲で足は左右に自由に動けるので、拡開部材２のないスリッパ５のみと同様の履き心地が得られる。
また、歩行した時に指が上に反るとスリッパ５のつま先部も上に反るが、前述のように拡開部材２は突張り腕３の弾性により上下にも揺動可能である。
従って、指の反りに従って上下に追随するので拡開部材２に接触している指の皮膚は摩擦ズレが少ないから傷められることはない。
【００２０】
外反母趾が改善されると拡開部材２は不要となるので取り外して通常のスリッパとして使うことができる。
拡開部材２を取り外す方法は、拡開部材をつま先端部へ押し付けると同時にカバー７の外側の左右側面を押すと内部の突張り腕３が内側に押され、突起部の食込みが外れて浮くから拡開部材２を後退させて容易に取り外しができるので、その後は通常のスリッパとして使用できる。
【００２１】
また、突張り腕３は材質を形状記憶合金の弾性帯板とすれば、スリッパ５に取り付ける操作は同じであるが、突張り腕３を加熱すると両腕が後方内側に反るように設置しておけば、ヘアドライヤ或いはＩＨヒーター等の加熱手段で突張り腕３は加熱されることによりカバー７外側の左右側面を押さなくても内側に反るので、突起部４，４の食い込みは外れるから、拡開部材２を容易に取り外すことができる。
【００２２】
図３に示したのは、突張り腕３に代わり弾性線材からなる突張り腕３ａを拡開部材２に係着したものであり、両腕端は円錐状の突起部４ａ、４ａが形成されているので、前記図２における構成の場合と同様の作用効果が得られる。
【００２３】
なお、拡開部材２はウレタンのような弾性材料にて成形すれば、親指と第２指に挟まれた時、指の曲面に倣って少し変形するので指に当る感触が良好になる。
【実施例２】
【００２４】
次に本発明の異なる実施の形態について説明する。
なお、これらの本発明の異なる実施の形態の説明に当たって、前記本発明の実施例１の形態と同一構成部分には同一符号を付して重複する説明を省略する。
【００２５】
図４における本発明の第２の実施の形態において、前記本発明の第１の実施の形態と異なる点は、拡開部材２と、拡開部材２の前端壁に埋設され先端が突起した支持ピン１０と、支持ピン１０に固定された突張り腕３とで取り付け手段を構成している。
突張り腕３は、支持ピン１０の突起部にカシメ或いは溶着の固定手段により固定されている。
従って、前記本発明の第１の実施の形態と同様の作用効果が得られる。
【実施例３】
【００２６】
図５における本発明の第３の実施の形態において、前記本発明の第１の実施の形態と異なる点は、拡開部材２と、該拡開部材２の前端部にコの字型に形成し底面を後方に延長して拡開部材２の底面から上に立ち上げた部分が拡開部材２の中に埋め込み固定された支持板１１と、前記コの字内の隙間に挿入し係着された突張り腕３とで取り付け手段を構成している。
従って、前記本発明の第１の実施の形態と同様の作用効果が得られる。
また、図６においては支持板１１の代わりに帯材からなるバンド１５を拡開部材２の上面から下面へ巻き込み前端部を除いて拡開部材２に接着し、接着しない前端部の隙間に突張り腕３を挿入係着することにより取り付け手段を構成している。
従って、前記本発明の第１の実施の形態と同様の作用効果が得られる。
また、この第３の実施の形態にすれば、突張り腕３を抜き取って拡開部材２を足の親指８と第２指９との間に挿入し靴下を履けば、就寝時にも外反母趾の予防と改善を行うことができる。
【実施例４】
【００２７】
図７における本発明の第４の実施の形態において、前記本発明の第１の実施の形態と異なる点は、スリッパ５のカバー７の後端縁を挟むクリップ１２の下側アームの延長端部に鋸歯状の爪を形成したアンカー１３を設け、拡開部材２に設けられたスリット１４にアンカー１３を差し込むとスリット１４の幅を広げながら挿入されるから、抜く力が作用した時はアンカー１３の爪がスリット１４に食込み、抜けないようにすることで取り付け手段が構成されている。
従って、拡開部材２をカバー７の内部のつま先端部の適宜の位置へ前進させクリップ１２の折り返し部がカバー７の後端縁に当接するまでアンカー１３をスリット１４に差し込んだ後クリップ１２でカバー７の後縁端を挟めば拡開部材２の位置を安定して保持することが出来る。
従って、前記本発明の第１の実施の形態と同様の作用効果が得られる。
【００２８】
以上の本発明の第1、第２、第３、第４の実施の形態は、スリッパに関して述べたが、靴の場合に適用しても同様の作用効果が得られる。
なお、靴に取り付けて使用する場合はハイヒール型の先の狭い靴ではなく、スニーカ型の先の幅が広い靴に適用するのが良い。
【実施例５】
【００２９】
図８、図９における本発明の第５の実施の形態において、前記本発明の第１の実施の形態と異なる点は、拡開部材２をスリッパ５のカバー７の内部のつま先端まで前進させ、適宜の位置で拡開部材２に埋設突起したピン１６をカバー７の内側から外部へ刺し、外部に出たピン１６の先端部にピンキャッチ具１７を挿入締結して拡開部材２をカバー７の内部に容易に保持できることで取り付け手段を構成している。
従って、前記本発明の第１の実施の形態と同様の作用効果が得られる。
【００３０】
ピン１６は拡開部材２の前側と上側の一方或いは両方に設置するが、図８に示すように前側と上側の両方に設置することにより、拡開部材２をより安定して保持することができる。
また、拡開部材２は取り付けされた状態でカバーの弾性により左右に揺動可能であるので、歩行した時カバーの中の範囲で足が左右に自由に動けるので、拡開部材２のないスリッパ５のみと同様の履き心地が得られる。
さらに、歩行した時に指が上に反るとスリッパ５のつま先部も上に反るが、拡開部材２も指の反りに従って上下に追随するので接触している指の皮膚は摩擦ズレが少ないから傷められることはない。
【００３１】
また、図９に示すようにカバー７のつま先部が切除されているスリッパ５に対しては、ピン１６を上側に設置した取り付け手段が適用できる。
【００３２】
なお、ピンキャッチ具１７を外すことにより、容易に拡開部材２を取り外すことが出来る。
【実施例６】
【００３３】
図１０における本発明の第６の実施の形態において、前記本発明の第１の実施の形態と異なる点は、拡開部材２の後部において前後方向に短冊状になり上下方向に貫通した保持穴１８と、該保持穴１８の前側から拡開部材２の前端まで成形して保持穴１８と共に拡開できる縦割り溝１９とで取り付け手段を構成している。従って、縦割り溝１９を広げて下駄或いは草履等の鼻緒付きの履物２０の前緒２１を保持穴１８に嵌入すれば、拡開部材２は弾性材料から成形したものであるから縦割り溝１９の面は互いに元の状態に戻って当接し拡開部材２の取り付けが完了する。
拡開部材２を取り付けた後に履く時には、拡開部材２のない通常の履物を履く動作と同じ動作で親指８と第2指９の間へ拡開部材２を楽に挿入することが出来る。
【００３４】
また、拡開部材２は前緒２１を軸にして水平方向に揺動できるので、履く人の足の形や大きさ或いは指の太さや配置に合わせて動くから、履いたときに指への片当りが発生せず自然な履き心地が得られる。
さらに、歩行した時に指が上に反ると履物２０のつま先部も上に反るが、拡開部材２も指の反りに従って上下に追随するので接触している指の皮膚は摩擦ズレが少ないから傷められることはない。
【実施例７】
【００３５】
図１１における本発明の第７の実施の形態において、前記本発明の第１の実施の形態と異なる点は、拡開部材２の前壁に面ファスナー（フック側）２３を密着固定し、スリッパ或いは靴のカバー７内部のつま先端面に面ファスナー（ループ側）２２を密着固定している。
拡開部材２を親指８と第２指９の間に挿入して既存のスリッパ或いは靴の中のつま先端まで前進させると、拡開部材２は指の形及び位置に合った自然な位置に移動ができ、その位置で面ファスナー（フック側）２３と面ファスナー（ループ側）２２が繋止するので拡開部材２はカバー７の内部のつま先端に保持できることで取り付け手段を構成している。
従って、前記本発明の第１の実施の形態と同様の作用効果が得られる。
面ファスナー（ループ側）２２をカバー７の内部のつま先端に密着固定する方法は、図１２の取り付け工具２７を使用するのが良い。
図１２において、面ファスナー（ループ側）２２と同等の幅を有し方形に形成された弾性材料からなるホルダー２５をバー２６に固定し、バー２６と反対面の両端付近には少数のループを設けた保持ファスナー２４、２４を固定してあり、保持ファスナー２４、２４に面ファスナー（ループ側）２２を繋止させた後バー２６を持って面ファスナー（ループ側）２２の裏側粘着面をカバー７内部のつま先端面に押し付けると、ホルダー２５がカバー７内部のつま先端の曲面に倣って撓むので面ファスナー（ループ側）２２は確実にカバー７内部のつま先端面に密着固定出来る。
なお、外反母趾が改善されると拡開部材２は不要となるので取り外して通常のスリッパ或いは靴として使用することが出来るが、その際、面ファスナー（ループ側）２２はカバー７のつま先端に残しておいても差し支えない。
【図面の簡単な説明】
【００３６】
【図１】第１の実施の形態における外反母趾対策具の取り付け状態図。
【図２】第１の実施の形態における外反母趾対策具。
【図３】第１の実施の形態における外反母趾対策具。
【図４】第２の実施の形態における外反母趾対策具。
【図５】第３の実施の形態における外反母趾対策具。
【図６】第３の実施の形態における外反母趾対策具。
【図７】第４の実施の形態における外反母趾対策具。
【図８】第５の実施の形態における外反母趾対策具。
【図９】第５の実施の形態における外反母趾対策具。
【図１０】第６の実施の形態における外反母趾対策具。
【図１１】第７の実施の形態における外反母趾対策具。
【図１２】第７の実施の形態における取り付け工具の平面図。
【符号の説明】
【００３７】
１．外反母趾対策具
２．拡開部材
３．突張り腕
４．突起部
４ａ．突起部
５．スリッパ
６．スリッパ台
７．カバー
８．親指
９．第２指
１０．支持ピン
１１．支持板
１２．クリップ
１３．アンカー
１４．スリット
１５．バンド
１６．ピン
１７．ピンキャッチ具
１８．保持穴
１９．縦割り溝
２０．鼻緒付きの履物
２１．前緒
２２．面ファスナー（ループ側）
２３．面ファスナー（フック側）
２４．保持ファスナー
２５．ホルダー
２６．バー
２７．取り付け工具
【図１】
2009000142.tif 000003
【図２】
2009000142.tif 000004
【図３】
2009000142.tif 000005
【図４】
2009000142.tif 000006
【図５】
2009000142.tif 000007
【図６】
2009000142.tif 000008
【図７】
2009000142.tif 000009
【図８】
2009000142.tif 000010
【図９】
2009000142.tif 000011
【図１０】
2009000142.tif 000012
【図１１】
2009000142.tif 000013
【図１２】
2009000142.tif 000014